(57)【要約】【課題】快適な着用感を提供すると同時に、性的な区域の最小身体被覆を提供する下着を提供すること。【解決手段】本発明は、付着セクション（４）、および接触セクション（３）で、前記付着セクション（４）と連結された被覆セクション（２）を備える下着（１）に関するものである。被覆セクション（２）は、外側、および内側陰脣間で、陰脣ギャップの両側面を収容するための２個の維持部分（１０Ａ，１０Ｂ）を備える維持手段（１０）を有する。維持部分（１０Ａ，１０Ｂ）間の部分を被覆するために、維持部分（１０Ａ，１０Ｂ）間に被覆手段（１１）が存在する。【選択図】図４
2016023401.tif 000002
【特許請求の範囲】
【請求項１】
下着（１）として：
付着セクション（４）および
前記付着セクション（４）に連結された被覆セクション（２）を含み、
これによって、前記被覆セクション（２）が、介在された陰脣ギャップの両側面上で、外側および内側の陰脣を収容するための２個の維持部分（１０Ａ，１０Ｂ）を備える維持手段（１０）を含み、
これによって、維持部分（１０Ａ，１０Ｂ）間で、被覆手段（１１）が維持部分（１０Ａ，１０Ｂ）間の部分を被覆するように形成されることを特徴とする下着（１）。
【請求項２】
前記維持手段（１０）の維持部分（１０Ａ，１０Ｂ）が２個の曲線型の、特に凸状の維持部分（１０Ａ，１０Ｂ）であることを特徴とする請求項１記載の下着（１）。
【請求項３】
前記維持手段（１０）の維持部分（１０Ａ，１０Ｂ）が２個の、特に弾性的なコードセクションであることを特徴とする請求項１または請求項２記載の下着（１）。
【請求項４】
前記維持手段（１０）が一体に形成されることを特徴とする請求項１〜３のいずれか１項に記載の下着（１）。
【請求項５】
前記維持手段（１０）が：
ワイヤー、
特に、ニッケル−チタン化合物で製造されたワイヤー、
プラスチック材料、
生物適合材料、および／または
シリコンを含むことを特徴とする請求項１〜４のいずれか１項に記載の下着（１）。
【請求項６】
前記維持手段（１０）、および／または維持部分（１０Ａ，１０Ｂ）が３０℃〜４５℃、好ましくは３５℃〜４０℃、特に３６℃〜３７．５℃の温度で変形可能なことを特徴とする請求項５記載の下着（１）。
【請求項７】
前記被覆手段（１１）が織物材料を含むことを特徴とする請求項１〜６のいずれか１項に記載の下着（１）。
【請求項８】
前記被覆手段（１１）が弾性材料を含むことを特徴とする請求項１〜７のいずれか１項に記載の下着（１）。
【請求項９】
被覆しようとする外側陰脣ら間の身体部分を収容するために、前記被覆手段（１１）が凸に曲線型である形象を持ったり、凸に曲線型である形象となることができることを特徴とする請求項１〜８のいずれの１項に記載の下着（１）。
【請求項１０】
前記維持部分（１０Ａ，１０Ｂ）が少なくとも１つの第1接触地点（３）で互いに接触し、第1の接触地点（３）で互いに接触し、あらかじめ決定された角度で略長さ方向に沿って延長することを特徴とする請求項１〜９のいずれの１項に記載の下着（１）。
【請求項１１】
前記維持部分（１０Ａ，１０Ｂ）が、第２接触地点（３，３Ａ）で、特に肛門の部分またはその間の空間で相互接触することを特徴とする請求項１０記載の下着（１）。
【請求項１２】
前記維持部分（１０Ａ，１０Ｂ）間の被覆区域の角度または長さを調整するために、前記維持手段（１０）、および／または前記維持部分（１０Ａ，１０Ｂ）のいずれの１つ、または両者に調整手段が提供されることを特徴とする請求項１０または１１記載の下着（１）。
【請求項１３】
前記調整手段がジッパーであることを特徴とする請求項１２記載の下着（１）。
【請求項１４】
前記付着セクション（４）が接触セクション（３）を通じて被覆セクション（２）と連結され、これによって前記接触セクション（３，３Ａ）がひも穴（２０Ａ，２０Ｂ）であったり、または、ＸまたはＹ形状の連結ピース（２１，２２）であることを特徴とする請求項１〜１３のいずれの１項に記載の下着（１）。
【請求項１５】
前記衣服が内衣、特に内部パンティー、スリップ、ジャズパンティー、ひも、ひもパンティー、パンティー、またはこれらの組み合わせ、または水泳、特に水泳トランク、ビキニ下衣、または水着の一部であることを特徴とする請求項１〜１４のいずれの１項に記載の下着（１）。
【発明の詳細な説明】
【技術分野】
【０００１】
本発明は、下着に関するもので、特に性器(genitals)を最小に被覆する、女性用の下着に関するものである。
【背景技術】
【０００２】
性教育によって、そして特に最近何年間、身体を裸に見せるための傾向が、ますますもっと増加すると考えられる。数多くのタブー事項が時間が経過するとともに破壊されてきた。
【０００３】
このような傾向は続くことと考えられる。今まで、このようなことを認知できる一つの方法は、例えば、ズボン、スカート、ブラウスまたはＴ−シャツ、衣類(clothing)のぴったり合うセクションによる、上着の変化であった。
【０００４】
男性だけでなく、女性の間で、見せる方法で下着を着用する傾向が確認でき、このような傾向は、甚だしくは下着で異なる層を用いることへ導き、言い替えれば上部の見える層および見えない衣類の下部のサブ(sub)層を用いる。
【０００５】
また、下着を着用したか、またはそうでないかの可否を分からないように、下着を着用する傾向も見られる。これによって、例えば、体にぴったり合う上着の下に、下着が区別されることを避けるための意図がある。
【０００６】
これによって、多くのユーザーの間で、特に多くの女性の間で、第三者に認識されることができない、または出来る限りほとんど認識できない下着を着用しようとする要求が存在する。また、このような下着は少なくとも性的な(intimate)区域の最小被覆を保障すべきである。
【０００７】
また、変化された美的な基準に基づいて、性的な部分の部分的なまたは完全な除毛(depilation)が相当な割合の女性および男性の間で既に流行している。これに加えて、着用者の臀部(buttocks)をほぼ被覆しないとか、または被覆しない、いわゆる、ひもパンティー(string
thongs)または、相当する水着が社会的に容認されている。
【０００８】
結果的に、前方の恥骨(pubic)部分、特に除毛された性的な部分の被覆は、また最小レベルの被覆へ減少されていく追加的な発展が予想される。
【０００９】
この方法で露出された男性、または女性のパートナーを見ること、または実質的な裸を見ることが刺激であることを人達は知っているので、このような発展は、特にエロティックな刺激を持つことができる。それにもかかわらず、もちろん、着用者側では、特に女性側から、身体の最も敏感な部分を、女性の場合にクリトリス、小陰脣（labia minora）および身体の穴（尿道（urethra）、膣（vagina）および／または肛門（anus））を被覆するための、特に、そのようなものを汚染や感染から保護するための要求が存在する。
【００１０】
しかし、そのような最小被覆は、衣服(garment)を確実に維持することおよび快適な着用感(fit)を達成することを同時に保障することにおいて、問題を有する。
【００１１】
特許文献１は、女性の生殖器に付着するためのコンドームカテーテル(condom
catheter)のための付着システムを開示し、これによって付着セクションが外側陰脣の内部に付着される。
【先行技術文献】
【特許文献】
【００１２】
【特許文献１】ＢＥ１０１６８９４Ａ６号公報
【発明の概要】
【発明が解決しようとする課題】
【００１３】
しかし、日常的な衣服に適用された、このような付着システムは、皮膚に対する付着(sticking)により、着用者の快適さが損なわれるという短所を持つ。
【００１４】
下着物品の他の変形例が知られている。一方で、下着物品は外側生殖器を少なくとも部分的に被覆し、他の一方で、短い着用期間後に狭窄(contriction)へ導き、そのような狭窄は、長い時間の着用後に痛症を引き起こし得る。
【００１５】
本発明の目的は、快適な着用感を提供すると同時に、性的な区域の最小身体被覆を提供する下着を提供することである。
【課題を解決するための手段】
【００１６】
このような目的は、第1項による衣服で達成される。有利に、追加的な開発が従属項の請求対象である。
【００１７】
発明のより良好な理解のために、発明の見地から、外部および内部の女性生殖器部分に関する以下の定義を先に提供する必要がある。外部の女性生殖器［膣口(vulva)］は、大陰脣(labia majora)(大陰脣はまた、本明細書で外側陰脣として呼ばれる)を含み、そのような大陰脣は内側生殖器が内部で取り囲まれる中央のしわ(furrow)／ギャップで内側生殖器を封入する(envelop)。内部の女性生殖器は、中央に配置されたクリトリスだけでなく、３個の穴（肛門、膣、および尿道）を持って、これによって膣および尿道が小陰脣によって取り囲まれる、小陰脣(labia
minora)(小陰脣は、本明細書ではまた、内側陰脣として呼ばれる)を含む。解剖学的変形例は、特定の状況下で、しわを通じて外部に見えられる小さいとか、または大きい内側生殖器を含んでいる。以下では、外側および内側生殖器を説明する。
【００１８】
発明の実施例に係る下着は、付着セクションおよび被覆セクションを持ち、そのようなセクションは、例えば、付着セクションを通じて接触セクションに連結される。被覆セクションでは、２個の維持部分を持つ維持手段を具備する。維持手段は、被覆セクションを収容する役割を有し、これによって、女性の解剖学的構造(anatomy)の場合に、維持手段は、女性生殖器の大陰脣ら間のしわ内に位置される。維持手段が大陰脣の間に収容されるように、そして、両側面上で外側陰脣および内側陰脣間に配置されるように、維持手段が形成される。大陰脣の外側の部分は、下着によって被覆されない。付着セクションは、例えば、尻で着用者の衣服を維持するように、構成されることができる。
【００１９】
大陰脣の内側側面と小陰脣の外則側面との間の部分を以下で陰脣のギャップと呼ぶ。このような場合に、「両側面」は、衣服着用者の身体の左側および右側部分を呼ぶ。幾何形態的に、「両側面」という用語は、人間の解剖学的構造の対称を指称して、これによって女性生殖器は対称面を中心に実質的に対称的であり、そして発明による衣服は、このような対称によって設計される。
【００２０】
また、維持手段は２個の部分を含み、それぞれの部分はしわの側面らの中、ひとつに沿って、陰脣ギャップの右則または左則まで延長する。被覆手段は維持手段のこのような部分の間に形成され、下着に適用されると、下着が着用されたとき、維持手段の２個の部分らの間に置かれる部分、これによって性的な部分を最小限に被覆するように意図される。
【００２１】
このような方法では、内側生殖器の最小被覆を提供する一方、外則生殖器を完全に被覆しない下着が提供される。２個の陰脣ギャップ内で維持部分を収容することによって、下着の快適なフィット感がまた保障される。
【００２２】
これによって、維持手段が互いに対して移動可能に配列され、少なくとも部分的なセクションで、負荷をかけない状態で（unloaded
state）接触地点から離隔されて維持される。続いて、外側陰脣の内側側面へ指向された力によって、陰脣ギャップ内の収容が行われることができる。このような力は、外部力によって、例えば、維持部分らの元の配向に対して（against）一緒に力を受ける維持部分によって導入されるスプリング力である。これによって、維持手段がしわ内に圧着されて（clamped）、下着が堅固に維持されることができる。
【００２３】
一部の実施例で、維持手段の維持部分が、特に２個の曲線型の、特に２個の凸維持部分である。維持部分が、着用者の解剖学的構造に合わせられるように、曲率または曲げ部を備える確実な維持部(solid stays)として有利に形成されることができることで、これによって、より安全で、より快適な支持を可能とする。ここで使用されたような凸部は、衣服に着用されるとき、着用者の身体から遠くなるように指向された曲線部を意味する。維持部分または維持区域が凸状を成して、互いに分離されて開かれ(spread apart)、これによって維持部分は２個の地点で、例えば、端部で互いに接触する。２個の維持部分は単一ピースとして形成される。
【００２４】
維持部分または維持区域は、また可撓性材料を含む。これによって、維持部分、または維持区域が優勢的な(prevailing)解剖学的構造に合わせて構成される。これは、多く異なる解剖学的構造に対する個別的な適応(adaptation)を可能とする。これによって、異なる解剖学的条件を持つ大部分の人が下着を着用することができる。
【００２５】
維持手段は一体に形成される。これは、維持部分および／または維持区域が一体に形成されることを意味する。
【００２６】
代案的な実施例で、維持手段が２個のコード(cord)のセクションを含む。ここで用いられるような「コードセクション」は、通常的な方法で生産された、ライン、コード、平たいひも(barid)、およびリボンなどによって形成されるセクション、または全体の維持部分を意味する。コードセクションのために用いられる材料は、可撓性材料、プラスチック、織物、皮革、弾性的バンド、ラテックス、およびその他を含む、任意の適切な材料であることができる。
【００２７】
特に有利な実施例では、このようなコードセクションが弾性的になるように、または少なくとも部分的に弾性的になるように設計される。このようなコードのセクションは、快適さを高めるための材料で製造される。また、コードセクション、特に可撓的に形成されたコードのセクションは解剖学的構造によく適応されることができ、これによって着用の快適さを高めることができる。
【００２８】
追加の有利な実施例で、維持手段がワイヤーを含む。好ましく、ワイヤーがニッケル−チタン化合物で形成されることができるとか、またはそのようなニッケル−チタン化合物を含むことができる。
【００２９】
より好ましく、ワイヤーが、特にニチノル(Nitinol)としてまた呼ばれるニッケル−チタン化合物を含む骨格部を形成する。このような場合に、ワイヤが有利に弾性的に、および／または塑性的に変形されることができる。骨格部が、前述のような「カップ」を形成するため、すでに決定された幅、長さ、および曲率を持つことができる。これによって、優勢な解剖学的条件に合わせて使用前に構成される下着が生成されることができる。
【００３０】
維持手段が、生物適合材料、プラスチック材料、および／またはシリコンを含む。生物適合性材料の利用が有利であり、これは着用者にどのような皮膚反応または皮膚の炎症(irritation)も誘発しないからである。
【００３１】
一部の実施例で、維持部分および／または維持手段がプラスチック材料を含むとか、またはプラスチック材料で全体的に構成される。また、維持部分がコーティング、有利には、プラスチックコーティングまたはゴムコーティングを持つことができる。これは、より長い維持寿命を達成できるという、そして、衣服の寿命中の変形を最小化することができるという長所を持つようにする。また、これによって下着の着用感が改善されることができる。
【００３２】
これによって、一般的に言って、材料が補強材(stiffener)要素を備える。材料の弾性的性質によって、材料がまた形状メモリーを備える。また、一部の実施例で、温度、電流、電圧などのような物理的性質によって、あらかじめ決定された形状を備えることができる、形状メモリーを備える特別な材料が考慮されることができる。
【００３３】
また、一部の実施例では、ワイヤーが常温で実質的に剛性(rigid)である。しかし、ワイヤーが３０℃〜４５℃、好ましく３５℃〜４０℃、特に３６℃〜３７．５℃の温度で形成されることができる。このような性質は、よく知られているように、ニチノルのような材料の適切な選択によって、または適切な材料生産によって、例えば、可塑材をプラスチックに添加することによって、生成されることができる。
【００３４】
一部の実施例では、被覆手段が織物材料で構成される。特に、被覆手段の材料がシルク、または綿などのような天然繊維で、またはジャージー(Jersey)、ライラ(Lyra)、および弾性重合体などのような合成繊維だけでなく、様々な材料の混合物で、全体的にまたは部分的に製造されることができる。特に、被覆手段の材料が弾性的に設計されることができる。これは、衣服のより良好な快適さおよび、ぴったり合う着用感を達成できるようにする。
【００３５】
一部の実施例で、被覆手段があらかじめ決定された凸形状を有することができることであり、または被覆手段が曲線型の凸形状になることができる。これは、長さ方向の「ポケット」へ、凸にあらかじめ形成された材料によって可能となる。そのような形状は、被覆手段が外側陰脣間の被覆される身体部分を収容できるように成形されるようにデザインされる。このような方法で、下着の支持部が希望する身体部分の被覆を助けることができる。
【００３６】
リンケージまたは骨格部として一緒に呼ばれる維持部分を、この被覆手段の材料として織造(woven)されることができるとか、または、そのような材料で混ざって編まれる(interwoven)ことができるとか、例えば接着、針仕事、または融合などを通じて、そのような材料と異なり、連関されることができる。
【００３７】
一部の実施例で、維持手段の維持部分が少なくとも、一つの第1接触地点で互いに接触できる。維持部分らのそれぞれが、第1接触地点からあらかじめ決定された角度で、略長さ方向へ延長するように、あらかじめ決定された形状で設計される。長さ方向は、身体の前方側面からしわに沿って肛門へ向けてつながる方向である。維持部分の凸型形態によって、維持部分らのそれぞれが外側陰脣の内側側面に沿って接触地点から延長する。
【００３８】
凸状の、つまり外側へ指向された曲率の場合に、維持部分があらかじめ決定されたセクションで再び互いに会う。維持部分が互いに会う、このようなセクションは、第２接触地点を形成する。維持部分は、一つの接触地点から他の接触地点につながる、このようなあらかじめ決定された曲線型形状によって、単純に「カップ形状」として説明されることができる、矩形キャップ、または楕円形キャップの輪郭に相当する形状を形成する。
【００３９】
これによって、衣服の形状が着用に先立って、あらかじめ規定され、陰脣ギャップの内の収容および被覆しようとする身体の部分の被覆を可能とする。これによって、下着の製造中にも、身体の解剖学的構造に対する基本的な適応がまた実施されることができる。
【００４０】
維持部分が互いに対してとる角度は、被覆しようとする身体部分の被覆程度を決定する。これによって、このような角度がまた解剖学的構造に依存する。維持部分ら間の非常に鋭角的な角度は、カップの非常に狭い形状を意味する。より少なめに鋭角的な角度は、より広いカップへ導く。長さ方向に垂直な方向に沿った維持部分ら間の距離が、その幅と呼ばれる。
【００４１】
これによって、女性の解剖学的構造に対する適応が角度の選択によって行われることができる。外側陰脣ら間のしわが、一般的に約６〜約１２ｍｍの広さ、および約８〜約２０ｍｍの高さということを注目すべきである。
【００４２】
また、内側生殖器の長さが約７〜約１２ｃｍで、または肛門とその間の空間を考慮すると、約１２〜約１８ｃｍであることができる。内側生殖器の高さは、一般的には約５ｍｍと約２５ｍｍの間で変化する。これによって、これは外側生殖器を越えて延長することができる。維持部分および被覆手段の配列に対する前述した様態は、優勢な解剖学的構造に対する改善された適応を可能とする。
【００４３】
被覆手段の好ましい長さは、内側生殖器の長さ、または約７〜約１２ｃｍ、または肛門を含む場合に、約１２〜約１８ｃｍの長さに相当する。
【００４４】
一部の実施例で、維持部分、および／または維持手段間のカップの角度、または長さ、すなわち、被覆セクションの長さを調整するための調整手段が提供される。調整手段が、例えば、第1接触地点の位置を変更することができる。このような変更は、特に長さ方向に行われることができる。被覆される部分の幅が解剖学的構造によって、あらかじめ決定される。これによって、被覆される部分の延長線に向けた接触地点の変化は、維持部分間の角度の減少を誘導する必要とする要求する。被覆区域の減少の場合は、これによって反対となる。
【００４５】
固定セクションを備える接触セクションと維持部分の接触地点間の維持部分が互い平行に延長したり、互いに対して付着されたり、互いに接触し、接触地点の位置に相当するように互いに対して角度を形成し、接触地点から延長することが特に考慮されることができる。接触セクションと関連し、接触地点が近接して配列されるほど、被覆手段によって被覆されるエリアがもっと長くなる。好ましく、このような場合に被覆手段は非常に弾性的な材料で構成される。また、被覆手段が長さ方向へあらかじめ決定された長さに対してのみ設計され、維持部分間の全体部分にかかられないことを考慮することができる。
【００４６】
発明の一部の実施例で、調整手段がジッパー(zip)で形成される。ジッパーを開放したり、閉鎖することによって、接触地点、すなわちジッパーが開かれる地点が変化されることができる。これは、個別に調整されたり、配置されることができる。
【００４７】
一部の実施例で、接触セクションがひも穴(eyelet)で形成される。接触セクションがまたＸまたはＹ形状の連結ピースで形成されることができ、またそのような連結ピースを含むことができる。
【００４８】
このような種類の接触セクションでは、さまざまな方法で付着セクションに付着することを可能とする。ひも穴の場合に、下着の身体着用のために、テープ、ライン、または弾性バンドなどが付着されることができる。これによって、衣服の付着セクションに対する付着のために、このような付着が用いられることができる。
【００４９】
代案的に、もちろん、そのようなひも穴を必要としないこともあり得るし、維持手段または維持区域をバンド、コード、および弾性バンド、または類似するように適切な手段を通じて直接的に通過させることができる。これは、下着の審美性を高めることができることで、単純化された製造を可能とする。
【００５０】
一部の実施例で、ＸまたはＹ形状の連結ピースを丸い弾性バンドまたは類似したプラスチック材料が横切ることができ、またはそのような連結ピースが丸い弾性バンドまたは類似したプラスチック材料と接触することができる。これによって、連結ピースの特定形態によって維持部分間の開放角度を配列することにより、内側生殖器のフレーム形成(framing)が保障されることができる。
【００５１】
類似した連結ピースがまた、肛門領域内の解剖学的後方部分内に提供されることができる。これによって、内部生殖器の被覆が連結ピースの位置によって保障されることができる。これによって、特に、Ｙ形状の連結ピースが臀部幹線(natal cleft)を通じた下着の脱衣(outlet)を保障することができる。
【００５２】
解剖学的に前方である部分内のＸ形状の連結ピンが単純な方法で、任意の残り毛髪部(hairiness)を被覆できるようにする。例えば、材料がＸ形状の連結ピースの開放レッグ(legs)間の接触地点に付着されることができる。
【００５３】
連結ピースが金属および／またはプラスチックで構成されることができる。連結ピースがまた中空型であることができる。また、連結ピースが、また有利に弾性的であることができる。これは、より向上された着用者の快適さ、耐久性、または単純化された生産を可能とする。
【００５４】
連結ピースの提供はまた、特に、維持手段が任意の異なる軽量形態の下着と組み合わせることができるようにしたり、相当する付着セクションを通じて、異なる公知された形態の下着に付着されることができる。これは、本発明の最も広い範囲の適用例を可能とする。
【００５５】
下着は、連結ピースを付着するための手段を含むことができる。
【００５６】
特に、一部の実施例で、衣服が下着、特に内部パンティー(a pair of underpants)、スリップ、ジャズパンティー(jazz pants)、ひも、ひもパンティー、パンティー、またはこれらの組み合わせであることができる。代案的に、衣服がまた水着、特に水泳トランク、ビキニ下衣、または水着の一部であることができる。
【００５７】
被覆手段が維持セクションによって、他の衣服に付着することができ、または、衣服と一体に形成されることができる。後者の場合には、例えば、維持手段が衣服に縫合されることができる。
【００５８】
図面を参照した以下の説明から、追加的な詳細内容、長所、および追加的な改善が明確となる。
【発明の効果】
【００５９】
以上のように、本説明によれば、特に性器(genitals)を最小に被覆する下着は、快適な着用感を提供すると同時に、性的な区域の最小身体被覆を可能とする衣服を提供する長所がある。
【図面の簡単な説明】
【００６０】
【図１】本発明の第１実施例に係る下着の一部を示す斜視図である。
【図２】本発明の追加的な実施例を示す図であって、ａ）は側面図、ｂ）は平面図である。
【図３】本発明の追加的な実施例を示す図であって、ａ）は側面図、ｂ）は上面図、ｃ）は修正された形態で示す概略図である。
【図４】本発明の実施例に係る下着の斜視図である。
【発明を実施するための形態】
【００６１】
図1は、本発明の実施例に係る下着（１）の被覆セクション（２）の斜視図を示す。被覆セクション（２）は、２個の維持部分（１０Ａ，１０Ｂ）を含む維持手段（１０）を有する。維持部分（１０Ａ，１０Ｂ）は、曲げられた形態形を持って、ひも穴（２０Ａ）を有する接触セクション（３）からひも穴（２０Ｂ）を備える第２の接触セクション（３）まで延長する。維持部分（１０Ａ，１０Ｂ）の曲率のため、ここで輪郭は実質的に楕円形のカップを形成する。これによって、維持部分（１０Ａ，１０Ｂ）は、接触セクション（３）、およびひも穴（２０Ａ，２０Ｂ）を備えるドーム型構造物を形成する。
【００６２】
ただし、図示されなかったが、このような骨格部は、理想的なモデル楕円形キャップから脱して、内側生殖器の領域内で、女性の解剖学的構造を再現する曲率を持つことができる。そのような幾何形態的比較例は単に説明のために与えられたもので、発明をそのような説明で制限しない。
【００６３】
織物（１１）が被覆セクション（２）の維持部分（１０Ａ，１０Ｂ）間に提供される。維持部分（１０Ａ，１０Ｂ）の曲率の方向に沿って、拡張するポケット類似部分で追加的に展開されるように、織物（１１）の寸法が決定される。このような部分は、内側女性生殖器を収容することができるように、このような部分の寸法と形状が決定される。織物（１１）、および維持部分（１０Ａ，１０Ｂ）で構成された骨格部によって形成される構成要素の形状がカップ形状として説明することができる。
【００６４】
図1に示されたひも穴（２０Ａ，２０Ｂ）が環形である。それぞれの維持部分（１０Ａ，１０Ｂ）の一端部がひも穴（２０Ａ，２０Ｂ）と接触する。このような目的のために、維持部分（１０Ａ，１０Ｂ）だけでなく、ひも穴（２０Ａ，２０Ｂ）が同一な織物（１１）で取り囲まれることができる。また、維持部分（１０Ａ，１０Ｂ）がひも穴（２０Ａ，２０Ｂ）に付着されたり、違って固定されることを考慮することができる。また、ひも穴（２０Ａ，２０Ｂ）、および維持部分（１０Ａ，１０Ｂ）は一体に形成されることができる。
【００６５】
それぞれの場合に、付着要素（１２）で形成された付着セクション（４）が被覆セクション（２）から遠く、ひも穴（２０Ａ，２０Ｂ）から延長する。ここで、付着要素（１２）がバンド類似形態を有する。付着部分（１２）は、図４を参照して、後述されるように、下着（１）の残りを通過したり、下着（１）の残りと連結される。
【００６６】
図２ａ）は、図1の被覆セクション（２）の側面図を示す。同一な、または類似の部分が同一な参照番号として表示されており、簡潔さを理由で説明を繰り返さなかった。
【００６７】
被覆セクション（２）のカップ形状が図２ａ）で明確に確認されることができる。維持部分（１０Ａ）中の一つだけが図面で確認されることができる。維持手段（２）の他の維持部分（１０Ｂ）が可視的な維持部分（１０Ａ）によって隠れている。このような場合に、長さ方向に垂直な方向に沿っ維持部分（１０Ａ，１０Ｂ）の曲率が明確に確認されることができる。維持手段（２）の織物（１１）は維持部分（１０Ａ，１０Ｂ）の曲率と同一な方向へ凸である。このような場合に、織物（１１）は維持部分（１０Ａ，１０Ｂ）より曲率方向へもっと延長する。これによって、維持部分（１０Ａ，１０Ｂ）が内側および外側陰脣間で収容され、一方、内側生殖器が織物（１１）によって収容され、織物（１１）がまた外側陰脣の輪郭を越えて延長できる。これによってもっと安全で、もっと便利な維持が可能となる。
【００６８】
図２ｂ）は、図２ａ）の被覆セクション（２）の平面図を示す。このような場合に、維持部分（１０Ａ，１０Ｂ）の曲率が幅方向へ、すなわち長さ方向に垂直し、織物（１１）の曲率に垂直な方向に見えることができる。このような曲率は、内側生殖器が幅方向に確実に収容されるようにすることだけでなく、維持部分（１０Ａ，１０Ｂ）が陰脣ギャップ内に確実に収容されるようにすることを保障する。
【００６９】
図３ａ）は、被覆セクション（２）の追加的な実施例を斜視図で示す。確認されることができるように、以前に説明された実施例のようなひも穴（２０Ａ，２０Ｂ）の代わりに、Ｘ形状の連結ピース（２１）は接触セクション（３）中のひとつに形成される。Ｘ形状の連結ピース（２１）は、維持部分（１０Ａ，１０Ｂ）と対面する側面の被覆セクション（２）に連結される２個の相互連結レッグを備える。
【００７０】
２個の付着要素（１２）はＸ形状の連結ピース（２１）からの残り２個の自由端部からＸ形状の連結ピース（２１）のそれぞれのレッグまで延長する。付着要素（１２）は連結ピース（２１）のレッグに連結される。しかし、付着要素（１２）は、またレッグ内に直接通過でき、またはレッグと一体に形成されることができる。
【００７１】
第２接触地点（３Ａ）でのひも穴の代わりに、λ形状の連結ピースとして、また説明されることができるＹ形状の連結ピース（２２）が存在する。Ｙ形状の連結ピース（２２）は、一緒に延長して、追加的な単一ストランド(strand)（１２Ａ）に併合される、被覆セクション（２）と対面する２個のレッグを備える。Ｙ形状の連結ピース（２２）の被覆セクション（２）、および維持部分（１０Ａ，１０Ｂ）との、そしてストランド（１２Ａ）との付着または連結はＸ形状の連結ピース（２１）に対することと同一な方法で行われることができる。
【００７２】
図３ａ）に示された実施例では、Ｘ形状の連結ピース（２１）は下着（１）の前方部分内に、すなわち、身体の前方側面と対面する部分内に配列される。しかし、Ｙ形状の連結ピース（２２）は下着（１）の後方部分内へ提供される。
【００７３】
図３ｂ）は、図３ａ）の実施例を上方から見た平面図で示す。
【００７４】
図３ｃ）は、本発明の追加的な実施例を再び平面図で示す。このような場合に、Ｙ形状の連結ピース（２２）は被覆セクション（２）の後方部分だけでなく、前方部分の両方に形成される。それぞれの場合に、連結ピース（２１，２２）の２個のレッグが被覆セクション（２）と対面して、ストランド（１２Ａ）は下着（１）の付着セクション（４）と対面する。
【００７５】
もちろん、Ｙ形状の連結ピース（２２）、およびＸ形状の連結ピース（２１）は自由に、例えば、Ｙ形状の連結ピース（２２）は前方部分内に、そしてＸ形状の連結ピース（２１）は後方部分内に、組み合わせることができる。前方接触地点はひも穴を持つように、そして後方接触地点はＸ形状の連結ピース（２１）またはＹ形状の連結ピース（２２）を持つように、またはその反対となるように、ひも穴はＸ形状の連結ピース（２１）、Ｙ形状の連結ピース（２２）と自由に組み合わせることができる。
【００７６】
図４は、本発明による下着（１）を示す。特に、付着セクション（４）を見ることができる。付着セクション（４）はひも穴（２０Ａ，２０Ｂ）に連結される。代案的な実施例で、付着セクション（４）が連結ピース（２１，２２）と同様に連結される。
【００７７】
このような連結は、例えば、弾性バンド、または織物ベルトのような連結ひもを、ひも穴（２０Ａ，２０Ｂ）を通じてひもを穴に通すこと(threading)によって、またはひも穴（２０Ａ，２０Ｂ）の周囲に巻くことによって成され得る。このような方法で、被覆セクション（２）は、多様な下着（１）と、図４に示す実施例で、ひもパンティー(string throng)と組み合わされ得る。
【００７８】
ブリーフ(briefs)、ジャズパンツ、ひも、パンティー、またはその組み合わせのような他の衣服との、または水泳トランク、ビキニ下衣部分、または水着の一部のような水着との他の組み合わせが類似した方法で行われることができ、これによって、発明の概念にまた含まれことである。
【符号の説明】
【００７９】
１              下着
２              被覆セクション
３              接触セクション
３Ａ            第２接触地点
４              付着セクション
１０            維持手段
１０Ａ，１０Ｂ  維持部分
１１            織物
１２            付着要素
１２Ａ          単一ストランド
２０Ａ，２０Ｂ  ひも穴
２１，２２      連結ピース
【図１】
2016023401.tif 000003
【図２】
2016023401.tif 000004
【図３】
2016023401.tif 000005
【図４】
2016023401.tif 000006